(57)【要約】【課題】ノズルをステムに装着したままでも内部を洗浄可能とし、ノズルの洗浄を容易化することができるエアゾール容器用ノズルを提供する。【解決手段】エアゾール容器70のステム72に接続され、ステム72の押し下げにて噴射筒30の前端から内容物を噴射させるエアゾール容器用ノズル1において、ステム72に繋がる入口孔21aと噴射筒30の後端開口との間に上方が開放した凹部空間Sを形成するベース20と、ベース20にヒンジ40を介して連結し、ヒンジ40の折り曲げにて凹部空間Sの上方を閉鎖するカバー50とを設ける。【選択図】図４
2015009837.tif 000002
【特許請求の範囲】
【請求項１】
エアゾール容器のステムに接続され、該ステムの押し下げにて噴射筒の前端から内容物を噴射させるエアゾール容器用ノズルにおいて、
前記ステムに繋がる入口孔と前記噴射筒の後端開口との間に上方が開放した凹部空間を形成するベースと、
前記ベースにヒンジを介して連結し、該ヒンジの折り曲げにて前記凹部空間の上方を閉鎖するカバーと
を備えることを特徴とするエアゾール容器用ノズル。
【請求項２】
前記ヒンジは、前記ベースの上端後部に配置され、
前記ベースの上端前部には、被係止部が設けられ、
前記カバーには、前記被係止部に係止して該カバーを閉鎖状態に維持する係止部と、該係止部の係止を解除するための操作部とが連設されている、請求項１に記載のエアゾール容器用ノズル。
【請求項３】
前記操作部は、前記カバーの閉鎖状態で、前記カバーの前端部に上下方向中間部が連結された垂直板状の操作片であり、
前記係止部は、前記操作片に突設された突起である、請求項２に記載のエアゾール容器用ノズル。
【請求項４】
前記ベースは、前記凹部空間を形成する底壁及び周壁を有し、
前記カバーは、前記凹部空間の上方を閉鎖する天井壁と、該天井壁から垂設されるとともに前記周壁の内周面に全周に亘って液密に当接するシール壁とを有する、請求項１〜３のいずれか一項に記載のエアゾール容器用ノズル。
【発明の詳細な説明】
【技術分野】
【０００１】
本発明は、エアゾール容器のステムに接続され、該ステムの押し下げにて噴射筒の前端から内容物を噴射させるエアゾール容器用ノズルに関し、特に、ノズルをステムに装着したままでも内部を洗浄可能とし、ノズルの洗浄を容易化しようとするものである。
【背景技術】
【０００２】
従来、この種のエアゾール容器用ノズルとしては、１つの容器のマウンティングカップから立ち上がる１つのステムにノズルが接続されるシングル式エアゾール容器用ノズルや、２つの容器のマウンティングカップからそれぞれ１つずつ立ち上がる総計２つのステムにノズルが接続される２連式エアゾール容器用ノズルや、１つの容器のマウンティングカップから立ち上がる２つのステムにノズルが接続されるエアゾール容器用ノズルなどが知られている。
【０００３】
このような従来のエアゾール容器用ノズルには、内容物の噴射後にノズルをステムから取り外して洗浄する際、ノズルの内部に残留した内容物を洗浄し易くするために、ノズルが開閉可能に形成されたものがある。
【０００４】
例えば、特許文献１に記載されるエアゾール容器用ノズルは、噴射筒の後端開口に連通する下方が開放した凹部空間を形成するベースと、該ベースにヒンジを介して連結し、該ヒンジの折り曲げにて前記凹部空間の下方を閉鎖するカバーとを備え、カバーをステムに接続するようになっている。
【先行技術文献】
【特許文献】
【０００５】
【特許文献１】特開２０１１−１１６３７９号公報
【発明の概要】
【発明が解決しようとする課題】
【０００６】
しかしながら、特許文献１に記載されるエアゾール容器用ノズルでは、ノズルの内部を洗浄するためには、まずノズルをステムから取り外し、カバーを開放させる必要があり、ノズルをステムに装着したままでは、凹部空間を十分に開放させることができず、洗浄が困難であった。
【０００７】
本発明は、このような問題を解決するために開発されたもので、ノズルをステムに装着したままでも内部を洗浄可能とし、ノズルの洗浄を容易化することができるエアゾール容器用ノズルを提供することを目的とする。
【課題を解決するための手段】
【０００８】
すなわち、本発明の要旨構成は以下のとおりである。
１．エアゾール容器のステムに接続され、該ステムの押し下げにて噴射筒の前端から内容物を噴射させるエアゾール容器用ノズルにおいて、
前記ステムに繋がる入口孔と前記噴射筒の後端開口との間に上方が開放した凹部空間を形成するベースと、
前記ベースにヒンジを介して連結し、該ヒンジの折り曲げにて前記凹部空間の上方を閉鎖するカバーと
を備えることを特徴とするエアゾール容器用ノズル。
【０００９】
２．前記ヒンジは、前記ベースの上端後部に配置され、
前記ベースの上端前部には、被係止部が設けられ、
前記カバーには、前記被係止部に係止して該カバーを閉鎖状態に維持する係止部と、該係止部の係止を解除するための操作部とが連設されている、前記１のエアゾール容器用ノズル。
【００１０】
３．前記操作部は、前記カバーの閉鎖状態で、前記カバーの前端部に上下方向中間部が連結された垂直板状の操作片であり、
前記係止部は、前記操作片に突設された突起である、前記２のエアゾール容器用ノズル。
【００１１】
４．前記ベースは、前記凹部空間を形成する底壁及び周壁を有し、
前記カバーは、前記凹部空間の上方を閉鎖する天井壁と、該天井壁から垂設されるとともに前記周壁の内周面に全周に亘って液密に当接するシール壁とを有する、前記１〜３のいずれかのエアゾール容器用ノズル。
【発明の効果】
【００１２】
本発明によれば、ノズルの内部を洗浄する際に、カバーをヒンジの周りに回動させてベースの凹部空間の上方を開放させることができるため、ノズルをステムに装着したままでも内部を洗浄することができる。したがって、本発明によれば、ノズルをステムに装着したままでも内部を洗浄可能とし、ノズルの洗浄を容易化することができるエアゾール容器用ノズルを提供することができる。
【図面の簡単な説明】
【００１３】
【図１】本発明の一実施形態に係るエアゾール容器用ノズルをエアゾール容器に装着した状態で示す平面図である。
【図２】図１のＡ−Ａに沿う一部断面図である。
【図３】図１のＢ−Ｂに沿う一部断面図である。
【図４】図１のＣ−Ｃに沿う一部断面図である。
【図５】図１のエアゾール容器用ノズルを示し、（ａ）は平面図、（ｂ）は（ａ）のＤ−Ｄに沿う一部断面図、（ｃ）は（ａ）のＥ−Ｅに沿う断面図である。
【図６】図５のエアゾール容器用ノズルを、ベースの凹部空間の上方を開放させた状態で示し、（ａ）は平面図、（ｂ）は（ａ）のＦ−Ｆに沿う一部断面図、（ｃ）は（ａ）のＧ−Ｇに沿う断面図、（ｄ）は（ａ）のＨ−Ｈに沿う一部断面図である。
【図７】図１のエアゾール容器に装着されたエアゾール容器用ノズルを作動させた状態を図４に準じて示す一部断面図である。
【図８】本発明の他の実施形態に係るエアゾール容器用ノズルをエアゾール容器に装着した状態で示す平面図である。
【図９】図８のＩ−Ｉに沿う一部断面図である。
【図１０】図８のＪ−Ｊに沿う一部断面図である。
【図１１】図８のＫ−Ｋに沿う一部断面図である。
【図１２】本発明の更なる他の実施形態に係るエアゾール容器用ノズルをエアゾール容器に装着した状態で示す平面図である。
【図１３】図１２のＬ−Ｌに沿う一部断面図である。
【図１４】図１２のＭ−Ｍに沿う一部断面図である。
【図１５】図１２のＮ−Ｎに沿う一部断面図である。
【発明を実施するための形態】
【００１４】
以下、図１〜図７を参照して、本発明の一実施形態に係るエアゾール容器用ノズルについて詳細に例示説明する。
なお、本明細書において前方とは、ノズルの噴射口側であり、後方とは、ノズルの噴射筒の軸線に沿って前方とは反対側である。また、側方とは、前方から後方に向って容器を見る際の左右方向である。
【００１５】
図１〜図４に示すように、エアゾール容器用ノズル１は、ベース２０と、噴射筒３０と、ヒンジ４０と、カバー５０と、操作片６０とを備える。本例のノズル１は、２つのエアゾール容器７０のマウンティングカップ７１からそれぞれ１つずつ立ち上がる総計２つのステム７２に接続される２連式エアゾール容器用ノズルである。
【００１６】
２つのエアゾール容器７０はいずれも、例えば金属製の有底筒状の容器本体７３に、例えば金属製のマウンティングカップ７１の外縁を巻き締めして固着したものであり、双方の内側には互いに異なる種類の内容物が収容されている。
【００１７】
２つのエアゾール容器７０は、双方のマウンティングカップ７１に嵌合固定される固定盤７４によって互いに連結されている。固定盤７４は、マウンティングカップ７１の双方の外周面にアンダーカット係合する平面視トラック状の外周壁７４ａと、該外周壁７４ａの上端縁に連設され、ステム７２をそれぞれ露出させる開口が形成された天面壁７４ｂとを備える。外周壁７４ａの両側方には、外カバー部材７５の外周壁部７５ａの両側方に形成された係止孔７５ｂに係止する係止突起７４ｃが形成されている。
【００１８】
外カバー部材７５の外周壁部７５ａは、前側凹部７５ｃと後側凹部７５ｄとを形成し、該外周壁部７５ａの上端には天面壁部７５ｅが連結し、該天面壁部７５ｅの内側端からは内周壁部７５ｆが垂下し、該内周壁部７５ｆの下端には、ステム７２をそれぞれ露出させる開口を有する底壁部７５ｇが連結している。外カバー部材７５の内側には、ノズル１を配置、収納する凹部が形成されている。
【００１９】
ノズル１は、ベース２０の底壁２１に連結する２つの嵌合筒２２がそれぞれ、ステム７２に接続されている。底壁２１には、ステム７２に繋がる入口孔２１ａが形成され、底壁２１の外周縁には、周壁２３が立設され、周壁２３の前部には、噴射筒３０の後端が連結されている。その結果、ベース２０の底壁２１及び周壁２３によって、入口孔２１ａと噴射筒３０の後端開口３１との間に上方が開放した凹部空間Ｓが形成されている。底壁２１の左右方向中央には、凹部空間Ｓの下側領域を左右に分割する下側仕切壁２４が立設されている。
【００２０】
ベース２０の上端後部には、ヒンジ４０を介してカバー５０が連結されている。カバー５０は、ヒンジ４０の折り曲げにて凹部空間Ｓの上方を閉鎖する天井壁５１と、該天井壁５１から垂設されるとともに周壁２３の内周面に全周に亘って液密に当接するシール壁５２とを有している。シール壁５２の外周面には、全周に亘って突出する突条５２ａが形成されており、シール壁５２の突条５２ａより先端側の外周面は、先端に向って内周側に傾斜するテーパ状に形成されている。天井壁５１の左右方向中央には、凹部空間Ｓの上側領域を左右に分割する上側仕切壁５３が立設されている。
【００２１】
ベース２０の上端前部には、図５（ａ）〜（ｃ）に示すように、被係止部２５が設けられている。被係止部２５は、周壁２３の上端縁前側領域から前方に延びる水平板状に形成されている。ベース２０の両側面にはそれぞれ、ガイド突起２６が突設されている。
【００２２】
カバー５０の閉鎖状態での前端部には、垂直板状の操作片６０（操作部）が連結されている。より具体的には、操作片６０は、その上下方向中間部が連結片６１を介して天井壁５１の前端部に連結されている。なお、連結片６１は、切り欠き６１ａを設けることで、操作片６０の操作に対する反発力が調整されている。
【００２３】
操作片６０には、被係止部２５に係止してカバー５０を閉鎖状態に維持する突起６２（係止部）が突設されている。突起６２は、操作片６０の連結片６１との連結部より下方で、操作片６０から後方に突出し、被係止部２５の前端に係止している。したがって、操作片６０の上部を摘んで後方に引くことで、突起６２と被係止部２５との係止を解除させ、ノズル１を、図５（ａ）〜（ｃ）に示したような閉鎖状態から、図６（ａ）〜（ｄ）に示すような、開放状態にすることができる。
【００２４】
図１〜図４に示したように、外カバー部材７５のノズル１を収納した凹部には、内カバー部材７６が嵌め込まれている。内カバー部材７６は、外カバー部材７５の内周壁部７５ｆに嵌合して固定される外側壁７６ａと、該外側壁７６ａの上端に連結する天壁７６ｂと、該天壁７６ｂの内側端から垂下する内側壁７６ｃと、内側壁７６ｃの前側下端にヒンジ部７６ｄを介して連結された平面視Ｔ字状の操作レバー７６ｅとから構成されている。
【００２５】
操作レバー７６ｅの底面には、各ステム７２の上方に対応する位置に、ノズル１のカバー５０の上面に当接する突部７６ｆが突設されている。内側壁７６ｃの両側方部分は、ノズル１の両側面に沿ってステム７２の上端付近まで下方に延びており、これら両側方部分にはそれぞれ、ベース２０のガイド突起２６を案内する、上下方向に延びるガイド溝７６ｇが形成されている。
【００２６】
かかる構成によれば、図７に示すように、内カバー部材７６の操作レバー７６ｅを押圧することで、各ステム７２を押し下げて、ノズル１の噴射筒３０の前端（噴射口）から内容物を噴射させることができる。
【００２７】
また、ノズル１の内部を洗浄する際には、まず、内カバー部材７６を取り外し、ノズル１の操作片６０の上部を摘んで後方に引くことで、突起６２と被係止部２５との係止を解除させ、そのまま操作片６０を引いてカバー５０をヒンジ４０の周りに回動させることで、ベース２０の凹部空間Ｓの上方を開放させることができるため、ノズル１をステム７２に装着したままでもノズル１の内部を洗浄することができる。勿論、ノズル１をステム７２から取り外して洗浄することも可能である。
【００２８】
ノズル１の洗浄後には、ノズル１の操作片６０を摘んでカバー５０をヒンジ４０の周りに閉鎖方向に回動させることで、カバー５０のシール壁５２をベース２０の周壁２３の内側に嵌め込み、シール壁５２で凹部空間Ｓの上方を封止することができる。その際、シール壁５２の突条５２ａより先端側の外周面は先端に向って内周側に傾斜するテーパ状に形成されているので、シール壁５２を周壁２３の内側に嵌め込むために要する操作力を低減することができる。
【００２９】
次に、図８〜図１１を参照して、本発明の他の実施形態に係るエアゾール容器用ノズルについて詳細に例示説明する。
図８〜図１１に示すように、本例のエアゾール容器用ノズル１’は、図１〜図７を用いて説明した例のエアゾール容器用ノズル１に対し、ベース２０の凹部空間Ｓを左右に仕切る下側仕切壁２４及び上側仕切壁５３を有さない点と、外カバー部材７５及び内カバー部材７６に代えて、下カバー部材７７及び上カバー部材７８を装着する２連式エアゾール容器に用いられる点とで相違するが、その他の点では同一の構成及び用途になっている。
【００３０】
下カバー部材７７は、固定盤７４の外周壁７４ａを取り囲む平面視トラック状の外壁７７ａと、該外壁７７ａの上端縁に連設され、ステム７２をそれぞれ露出させる開口が形成された天壁７７ｂとを備える。外壁７７ａの両側方には、固定盤７４の外周壁７４ａの両側方に形成された係止突起７４ｃを係止させる係止孔７７ｃが形成されている。また、下カバー部材７７の両側方では、外壁７７ａの内側で天壁７７ｂから立壁７７ｄがそれぞれ起立しており、該立壁７７ｄの外側にはそれぞれ係止突起７７ｅが形成されている。
【００３１】
下カバー部材７７には、ノズル１’をステム７２に装着した状態で、上カバー部材７８が装着されている。上カバー部材７８は、下カバー部材７７の外壁７７ａの外周面と面一に連続する外周面を形成する外壁部７８ａを備え、該外壁部７８ａの両側方には、下カバー部材７７の立壁７７ｄに形成された係止突起７７ｅをそれぞれ係止させる係止孔７８ｂが形成されている。外壁部７８ａの前方下側領域は切り欠かれ、該切り欠き部からノズル１’の噴射筒３０が露出している。また、外壁部７８ａの後方領域も切り欠かれている。外壁部７８ａの上端には天壁部７８ｃが連結され、該天壁部７８ｃの内側端には内壁部７８ｄが垂下し、内壁部７８ｄの前側下端には、ヒンジ部７８ｅを介して平面視Ｔ字状の操作レバー７８ｆが連結されている。
【００３２】
操作レバー７８ｆの底面には、各ステム７２の上方に対応する位置に、ノズル１’のカバー５０の上面に当接する突部７８ｇが突設されている。内壁部７８ｄの両側方部分は下方に延びており、その下端縁が、下カバー部材７７の天壁７７ｂの上面に当接している。これらの内壁部７８ｄの両側方部分にはそれぞれ、ノズル１’のベース２０のガイド突起２６を案内する、上下方向に延びるガイド溝７８ｈが形成されている。
【００３３】
かかる構成によれば、図１〜図７を用いて説明した例の場合と同様の効果を得ることができる。なお、ノズル１’の内部を洗浄する際には、上カバー部材７８を取り外してから、ノズル１’の操作片６０を操作すればよい。勿論、ノズル１’は、ステム７２から取り外して洗浄することも可能である。
【００３４】
次に、図１２〜図１５を参照して、本発明の更なる他の実施形態に係るエアゾール容器用ノズルについて詳細に例示説明する。
図１２〜図１５に示すように、本例のエアゾール容器用ノズル１０は、図１〜図７を用いて説明した例のエアゾール容器用ノズル１に対し、ベース２０の左右方向の幅が噴射筒３０に対して相体的に縮小されている点と、ベース２０の両側面に形成されたガイド突起２６の形状が異なる点と、カバー５０の上面に円弧状のリブ５４が形成されている点と、２連式エアゾール容器に代えて、１つの容器のマウンティングカップから立ち上がる２つのステムを有するエアゾール容器に用いられる点とで相違するが、その他の点では同一の構成及び用途になっている。
【００３５】
エアゾール容器８０は、例えば金属製の有底筒状の容器本体に、例えば金属製のマウンティングカップ８１の外縁を巻き締めして（巻き締めした部位が環状縁部８１ａとなる）固着したものであり、内側には２種類の内容物が別個に収容されている。また、エアゾール容器８０は、それぞれの内容物の収容空間につながる総計２つのステム８２を有していて、マウンティングカップ８１の中央部には、平面視にてトラック状となる突起部８１ｂが、マウンティングカップ８１の中段部８１ｃから２つのステム８２を一括りにして突出している。なお、突起部８１ｂの平面視での形状は、矩形状でも楕円状でもよい。
【００３６】
下側カバー部材９０は、エアゾール容器８０のマウンティングカップ８１に装着されている。下側カバー部材９０は、エアゾール容器８０の外周面と略同径の外形を有する周壁９０ａを備えている。周壁９０ａの内周面には、内周側に延びるフランジ９０ｂが形成され、フランジ９０ｂの内周縁は、マウンティングカップ８１の環状縁部８１ａの上面に当接している。フランジ９０ｂからは嵌合筒９０ｃが垂設されており、嵌合筒９０ｃがマウンティングカップ８１の環状縁部８１ａの下端縁に突起９０ｄにより係止されている。
【００３７】
フランジ９０ｂの内周縁には、マウンティングカップ８１の中段部８１ｃの外周面に当接する縦壁９０ｅが立設されている。縦壁９０ｅの上端には、ステム８２を露出させる開口が形成された天壁９０ｆが連設されている。天壁９０ｆには、マウンティングカップ８１の突起部８１ｂの長手方向の両側面に当接する位置決め壁９０ｇが垂設されている。
【００３８】
下側カバー部材９０の周壁９０ａの上部には、両側方領域において、外周面を内周側に縮径させた段部９０ｈが形成され、該段部９０ｈには、周壁９０ａの外周面と略同径の外形を有する上側カバー部材９１の周壁部９１ａが嵌め込まれている。
【００３９】
上側カバー部材９１の周壁部９１ａの両側方には、下側カバー部材９０の段部９０ｈに形成された係止突起９０ｉをそれぞれ係止させる係止孔９１ｂが形成されている。周壁部９１ａの前方下側領域は切り欠かれ、該切り欠き部からノズル１０の噴射筒３０が露出している。また、周壁部９１ａの後方領域も切り欠かれている。周壁部９１ａの上端には天壁部９１ｃが連結され、該天壁部９１ｃの内側端には内壁部９１ｄが垂下し、内壁部９１ｄの前側下端には、ヒンジ部９１ｅを介して平面視Ｔ字状の操作レバー９１ｆが連結されている。
【００４０】
操作レバー９１ｆの底面には、ノズル１０のカバー５０の上面に設けられた円弧状のリブ５４に当接する突部９１ｇが突設されている。内壁部９１ｄの両側方部分は下方に延びており、その下端縁が、下側カバー部材９０の天壁９０ｆの上面に当接している。これらの内壁部９１ｄの両側方部分にはそれぞれ、ノズル１０のベース２０のガイド突起２６を案内する、上下方向に延びるガイド溝９１ｈが形成されている。
【００４１】
かかる構成によれば、図１〜図７を用いて説明した例の場合と同様の効果を得ることができる。なお、ノズル１０の内部を洗浄する際には、上側カバー部材９１を取り外してから、ノズル１０の操作片６０を操作すればよい。勿論、ノズル１０は、ステム８２から取り外して洗浄することも可能である。
【００４２】
上述したところは、本発明の一実施形態を示したにすぎず、特許請求の範囲において、種々の変更を加えることができる。例えば、上述した例では、２連式のエアゾール容器に用いる場合、及び１つの容器のマウンティングカップから立ち上がる２つのステムを有するエアゾール容器に用いる場合について説明したが、１つの容器のマウンティングカップから立ち上がる１つのステムにノズルが接続されるシングル式エアゾール容器に用いることも可能である。この場合には、ノズルのベースには、ステムに接続される嵌合筒を１つ設ければよい。
【符号の説明】
【００４３】
１，１’  エアゾール容器用ノズル
２０  ベース
２１  底壁
２１ａ  入口孔
２２  嵌合筒
２３  周壁
２４  下側仕切壁
２５  被係止部
２６  ガイド突起
３０  噴射筒
３１  後端開口
４０  ヒンジ
５０  カバー
５１  天井壁
５２  シール壁
５２ａ  突条
５３  上側仕切壁
５４  リブ
６０  操作片
６１  連結片
６１ａ  切り欠き
６２  突起
７０  エアゾール容器
７１  マウンティングカップ
７２  ステム
７３  容器本体
７４  固定盤
７４ａ  外周壁
７４ｂ  天面壁
７４ｃ  係止突起
７５  外カバー部材
７５ａ  外周壁部
７５ｂ  係止孔
７５ｃ  前側凹部
７５ｄ  後側凹部
７５ｅ  天面壁部
７５ｆ  内周壁部
７５ｇ  底壁部
７６  内カバー部材
７６ａ  外側壁
７６ｂ  天壁
７６ｃ  内側壁
７６ｄ  ヒンジ部
７６ｅ  操作レバー
７６ｆ  突部
７６ｇ  ガイド溝
７７  下カバー部材
７７ａ  外壁
７７ｂ  天壁
７７ｃ  係止孔
７７ｄ  立壁
７７ｅ  係止突起
７８  上カバー部材
７８ａ  外壁部
７８ｂ  係止孔
７８ｃ  天壁部
７８ｄ  内壁部
７８ｅ  ヒンジ部
７８ｆ  操作レバー
７８ｇ  突部
７８ｈ  ガイド溝
８０  エアゾール容器
８１  マウンティングカップ
８１ａ  環状縁部
８１ｂ  突起部
８１ｃ  中段部
８２  ステム
９０  下側カバー部材
９０ａ  周壁
９０ｂ  フランジ
９０ｃ  嵌合筒
９０ｄ  突起
９０ｅ  縦壁
９０ｆ  天壁
９０ｇ  位置決め壁
９０ｈ  段部
９０ｉ  係止突起
９１  上側カバー部材
９１ａ  周壁部
９１ｂ  係止孔
９１ｃ  天壁部
９１ｄ  内壁部
９１ｅ  ヒンジ部
９１ｆ  操作レバー
９１ｇ  突部
９１ｈ  ガイド溝
Ｓ  凹部空間
【図１】
2015009837.tif 000003
【図２】
2015009837.tif 000004
【図３】
2015009837.tif 000005
【図４】
2015009837.tif 000006
【図５】
2015009837.tif 000007
【図６】
2015009837.tif 000008
【図７】
2015009837.tif 000009
【図８】
2015009837.tif 000010
【図９】
2015009837.tif 000011
【図１０】
2015009837.tif 000012
【図１１】
2015009837.tif 000013
【図１２】
2015009837.tif 000014
【図１３】
2015009837.tif 000015
【図１４】
2015009837.tif 000016
【図１５】
2015009837.tif 000017